(57)【要約】      （修正有）【課題】装置を小型化および簡素化することができ構築費用も低廉で、深夜電力のみで十分な床暖房効果を得ることができ、所望位置へ移動可能な深夜電力利用型床暖房装置を提供する。【解決手段】深夜電力利用型床暖房装置１は、床面上に載置される箱状本体部２と、箱状本体部２内に配され温水が流通可能に設けられた温水流通管３と、温水流通管３内へ深夜電力温水器２０からの温水を流入させるための温水流入管４と、温水流入管４内から温水流通管３内への温水の流入を制御する制御部５を有している。【選択図】図１
0003191548.tif 000002
【実用新案登録請求の範囲】
【請求項１】
床面上に載置される箱状本体部と、該箱状本体部内に配され温水が流通可能に設けられた温水流通管と、該温水流通管内へ深夜電力温水器からの温水を流入させるための温水流入管と、該温水流入管内から前記温水流通管内への温水の流入を制御する制御部とを有していることを特徴とする深夜電力利用型床暖房装置。
【請求項２】
前記箱状本体部の上板材はフローリング材にて形成されている請求項１に記載の深夜電力利用型床暖房装置。
【請求項３】
前記箱状本体部内には断熱材が配されている請求項１または２に記載の深夜電力利用型床暖房装置。
【請求項４】
前記深夜電力利用型床暖房装置の前記温水流通管内の温水は、前記箱状本体部に取り付けられた排出管を介して浴槽内に排出されるように構成されている請求項１ないし３のいずれかに記載の深夜電力利用型床暖房装置。
【考案の詳細な説明】
【技術分野】
【０００１】
本考案は、深夜電力を用いて床を温める深夜電力利用型床暖房装置に関する。
【背景技術】
【０００２】
従来より、深夜電力を用いて低廉に床を温める深夜電力利用型床暖房装置が種々提案されている。例えばそのようなものとして、床暖房に使用する熱媒を深夜電力のみを利用して加熱するヒートポンプと、床下空間に設置されて熱媒を貯留する蓄熱槽と、熱媒によって床を暖める床暖房器と、ヒートポンプによって加熱した高温熱媒を蓄熱槽内に導くとともに、蓄熱槽内の低温熱媒をヒートポンプに導く蓄熱用熱媒回路と、蓄熱槽内の高温熱媒を床暖房器に導くとともに、床暖房器からの低温熱媒を蓄熱槽内に導く暖房用熱媒回路とからなるこの蓄熱式床暖房システム（特開２００５−５５１３０号公報）がある。
【０００３】
しかし、上記蓄熱式床暖房システムは床下空間に蓄熱槽および床暖房器が設置されるものであるため、装置が大型化する傾向があり構築費用が高額化すると共に、深夜電力のみでは十分な床暖房を実現することが困難な場合もあり、さらに、適宜、所望位置への移動も不能であった。
【先行技術文献】
【特許文献】
【０００４】
【特許文献１】特開２００５−５５１３０号公報
【考案の概要】
【考案が解決しようとする課題】
【０００５】
そこで、本考案の課題は、装置を小型化および簡素化することができ構築費用も低廉で、深夜電力のみで十分な床暖房効果を得ることができ、所望位置へ移動可能な深夜電力利用型床暖房装置を提供することにある。
【課題を解決するための手段】
【０００６】
上記課題を解決するものは、床面上に載置される箱状本体部と、該箱状本体部内に配され温水が流通可能に設けられた温水流通管と、該温水流通管内へ深夜電力温水器からの温水を流入させるための温水流入管と、該温水流入管内から前記温水流通管内への温水の流入を制御する制御部とを有していることを特徴とする深夜電力利用型床暖房装置である。
【０００７】
前記箱状本体部の上板材はフローリング材にて形成されていることが好ましい。前記箱状本体部内には断熱材が配されていることが好ましい。前記深夜電力利用型床暖房装置の前記温水流通管内の温水は、前記箱状本体部に取り付けられた排出管を介して浴槽内に排出されるように構成されていることが好ましい。
【考案の効果】
【０００８】
請求項１に記載した考案によれば、装置を簡素化することができ構築費用も低廉で、箱状本体部を所望位置へ移動可能な深夜電力利用型床暖房装置が構成される。
請求項２に記載した考案によれば、上記請求項１の効果に加え、箱状本体部の上面を直接床面として使用できる。
請求項３に記載した考案によれば、上記請求項１または２の効果に加え、箱状本体部の蓄熱効果が向上することで、深夜電力のみでより十分な床暖房効果を得ることができる。
請求項４に記載した考案によれば、上記請求項１ないし３の効果に加え、温水流通管内で徐々に低温下した温水を風呂水として再利用することができる。
【図面の簡単な説明】
【０００９】
【図１】本発明の深夜電力利用型床暖房装置の一実施例の概略図である。
【図２】図１のＡ−Ａ線端面図であり、使用状態を説明するための説明図である。
【考案を実施するための形態】
【００１０】
本考案は、床面１０上に載置される箱状本体部２と、箱状本体部２内に配され温水が流通可能に設けられた温水流通管３と、温水流通管３内へ深夜電力温水器２０からの温水を流入させるための温水流入管４と、温水流入管４内から温水流通管３内への温水の流入を制御する制御部５とを有することで、装置を小型化および簡素化することができ構築費用も低廉で、深夜電力のみで十分な床暖房効果を得ることができ、箱状本体部を所望位置へ移動可能な深夜電力利用型床暖房装置１を実現した。
【実施例１】
【００１１】
本考案の深夜電力利用型床暖房装置を図１または図２に示した一実施例を用いて説明する。
この実施例の深夜電力利用型床暖房装置１は、床面１０上に載置される箱状本体部２と、箱状本体部２内に配され温水が流通可能に設けられた温水流通管３と、温水流通管３内へ深夜電力温水器２０からの温水を流入させるための温水流入管４と、温水流入管４内から温水流通管３内への温水の流入を制御する制御部５とを有している。以下、各構成について順次詳述する。
【００１２】
箱状本体部２は、床暖房を実現する部位であり、この上面に使用者が乗ることで床暖房効果を体感することができる。この実施例の箱状本体部は、上面に１畳の広さを有し、長方体に形成されているがこれに限定されるものではなく、例えば、上面に２畳の広さを有するものでもよく、円柱体などに形成されていてもよい。
【００１３】
箱状本体部２は、図２に示すように、底部と側部とからなる箱状部２ａと、蓋部となる上板材２ｂとを有し、この上板材２ｂはフローリング材にて形成されている。これにより、箱状本体部２の上面を直接床面として使用することができる。
【００１４】
この箱状本体部２は、図２に示すように、床面１０上に載置されて使用される。これにより、装置を小型化および簡素化することができ構築費用も低廉で、深夜電力のみで十分な床暖房効果を得ることができ、さらに、箱状本体部２を所望位置へ適宜移動させることができる。
【００１５】
箱状本体部２の箱状部２ａまたは上板材２ｂの形成材料としては、木質系材料が好適であるが、樹脂材料等他の材料にて形成されていてもよい。
【００１６】
温水流通管３は、温水を流通させることで箱状本体部２を加温するためのものであり、図１に示すように、箱状本体部２内に一本の温水流通管３が蛇行するように配されている。温水流通管の形成材料としては、樹脂材料または金属材料が好適に使用できるが、この実施例では塩化ビニル管が使用されている。
【００１７】
箱状本体部２内の温水流通管３の外方には、断熱材６が配されている。これにより、箱状本体部の蓄熱効果を向上させることができ、深夜電力のみでより十分な床暖房効果を得ることができる。断熱材６としては、どのようなものでもよいが、この実施例では、繊維性断熱材が使用されている。
【００１８】
温水流入管４は、温水流通管３内へ深夜電力温水器２０からの温水を流入させるためのものであり、図１に示すように、深夜電力温水器２０のポンプＰに連通すると共に、混合弁７を介して温水流入管４と連通している。
【００１９】
制御部５は、温水流入管４内から温水流通管３内への温水の流入等を制御するものである。具体的には、制御部５は深夜電力温水器２０のヒーターＨにより加熱された温水をポンプＰを介して混合弁７に流通させ水道水と混合させて、設定された温度に調節した後、温水流通管３内へ流入させるように制御する。また、制御部５は水道水の装置内における流通を制御する。さらに、制御部５は排出管８に取り付けられた電磁弁９の制御により、温水流通管３内の温水を箱状本体部２に取り付けられた排出管８を介して浴槽３０内に排出するように制御する。これにより、温水流通管３内で徐々に低温下した温水を風呂水として再利用することができる。
【００２０】
つぎに、本考案の深夜電力利用型床暖房装置１の使用方法について説明する。
深夜電力利用型床暖房装置１の使用に際しては、箱状本体部２内の温水流通管３内に約８０℃の温水を流通させる。具体的には、制御部５が混合弁７内にて水道水と温水を混合して温度調節し、温水流入管４を介して温水流通管３に温水を流通させる。この状態で箱状本体部２は加温されるため、使用者が上面に乗ることで床暖房効果を体感することができる。
【００２１】
なお、本考案の深夜電力利用型床暖房装置１は床面１０上に載置されているのみで固定されていないため、所望の位置に移動させることができる。また、床下に構築されるものではないため、装置を簡素化することができ構築費用も低廉化できると共に、加温される箱状本体部２は、室内に配されたものであるため深夜電力のみで十分に加温することができる。さらに、温水流通管３内で徐々に低温化した温水は、排出管８に取り付けられた電磁弁９の制御により浴槽３０内に排出できるため、風呂水として再利用することができる。
【符号の説明】
【００２２】
１    深夜電力利用型床暖房装置
２    箱状本体部
３    温水流通管
４    温水流入管
５    制御部
６    断熱材
７    混合弁
８    排出管
９    電磁弁
１０  床面
２０  深夜電力温水器
【図１】
0003191548.tif 000003
【図２】
0003191548.tif 000004